(57)【要約】      （修正有）【課題】極めて商品価値の高い実用的なインタビュー撮影用具を提供する。【解決手段】撮影機器１を固定する撮影機器固定部２を有するスタンド５と、このスタンド５の配設位置を指標するスタンド配設位置指標部８及びこのスタンド配設位置指標部８の対向位置にインタビューされる人が座る椅子６の配設位置を指標する椅子配設位置指標部７を設けた敷体９とから成る。椅子配設位置指標部７は、溝や穴などの椅子６の下端部６ａを位置決め嵌合する位置決め凹部１０若しくは椅子６の下端部６ａを移動不能に位置決めロックする位置決めロック手段を敷体９に設ける。【選択図】図１
0003191242.tif 000002
【実用新案登録請求の範囲】
【請求項１】
撮影機器を固定する撮影機器固定部を有するスタンドと、このスタンドの配設位置を指標するスタンド配設位置指標部及びこのスタンド配設位置指標部の対向位置にインタビューされる人が座る椅子の配設位置を指標する椅子配設位置指標部を設けた敷体とから成り、前記椅子配設位置指標部は、溝や穴などの前記椅子の下端部を位置決め嵌合する位置決め凹部若しくは前記椅子の下端部を移動不能に位置決めロックする位置決めロック手段を前記敷体に設けた構成であり、前記位置決め凹部若しくは前記位置決めロック手段を、前記スタンド配設位置指標部から同一方向位置にして距離の異なる複数の位置に並設して、前記スタンドに対する距離の異なる位置で前記椅子を位置決め配設し得るように前記椅子配設位置指標部を構成したことを特徴とするインタビュー撮影用具。
【請求項２】
前記スタンドは、前記撮影機器固定部を有する柱状部とこの柱状部を中心とする平面視放射方向にして下方に突設して当該柱状部を立設状態に支承する複数の脚部とを有する構成であり、前記スタンド配設位置指標部は、前記脚部が前記敷体に接地した状態において前記柱状部の軸心線が垂直線上に位置するよう位置合わせの目印となる指標点を前記敷体に設けた構成であり、前記指標点を、前記椅子配設位置指標部をもとに配設した前記椅子を左右に二等分する垂直面が通過する前記敷体の所定位置に設けたことを特徴とする請求項１記載のインタビュー撮影用具。
【請求項３】
前記指標点を中心として放射方向に実線，破線，鎖線，波線などの線状部を前記敷体に複数設けて前記スタンド配設位置指標部を構成したことを特徴とする請求項２記載のインタビュー撮影用具。
【請求項４】
前記スタンドは、前記撮影機器固定部の高さ位置を調整自在に構成されていることを特徴とする請求項１〜３のいずれか１項に記載のインタビュー撮影用具。
【請求項５】
前記スタンドの所定位置にして前記撮影機器固定部の下方位置に書見台部を設けたことを特徴とする請求項１〜４のいずれか１項に記載のインタビュー撮影用具。
【考案の詳細な説明】
【技術分野】
【０００１】
本考案は、インタビュー撮影用具に関するものである。
【背景技術】
【０００２】
従来から、卒業アルバムとして、卒業生の顔写真や文集を紙に印刷した冊子タイプの卒業アルバムの他、例えば特開２００８−１７２４９９号のように、卒業生の表情や肉声をインタビュー撮影して得た動画データや音声データを記録媒体（ＤＶＤ）に記録したデジタルタイプの卒業アルバムも提案されている。
【０００３】
ところで、このデジタルタイプの卒業アルバムの作成に際し、例えば、学校側（先生や生徒）が自分たちの都合の良い時にインタビュー撮影を行い、その後、このインタビュー撮影したデータを、卒業アルバムを作成する業者側が回収してアルバム作成作業を行うという段取りとなることが望ましいが、実際、インタビュー撮影に使用する撮影機材（カメラスタンドやインタビューされる人が座る椅子）の取り扱いに精通していない者（学校側）が、この撮影機材を適正な位置に、しかも手際良く配置するのは難しいのが現状である。
【先行技術文献】
【特許文献】
【０００４】
【特許文献１】特開２００８−１７２４９９号公報
【考案の概要】
【考案が解決しようとする課題】
【０００５】
本考案は、前述した問題点を解消するもので、例えばインタビュー撮影に使用する撮影機材の取り扱いに精通していない者であっても、この撮影機材を適正な位置に、しかも手際よく配置することができてインタビュー撮影を円滑に行うことができるなど、極めて商品価値の高い実用的なインタビュー撮影用具を提供するものである。
【課題を解決するための手段】
【０００６】
添付図面を参照して本考案の要旨を説明する。
【０００７】
撮影機器１を固定する撮影機器固定部２を有するスタンド５と、このスタンド５の配設位置を指標するスタンド配設位置指標部８及びこのスタンド配設位置指標部８の対向位置にインタビューされる人が座る椅子６の配設位置を指標する椅子配設位置指標部７を設けた敷体９とから成り、前記椅子配設位置指標部７は、溝や穴などの前記椅子６の下端部６ａを位置決め嵌合する位置決め凹部10若しくは前記椅子６の下端部６ａを移動不能に位置決めロックする位置決めロック手段を前記敷体９に設けた構成であり、前記位置決め凹部10若しくは前記位置決めロック手段を、前記スタンド配設位置指標部８から同一方向位置にして距離の異なる複数の位置に並設して、前記スタンド５に対する距離の異なる位置で前記椅子６を位置決め配設し得るように前記椅子配設位置指標部７を構成したことを特徴とするインタビュー撮影用具に係るものである。
【０００８】
また、前記スタンド５は、前記撮影機器固定部２を有する柱状部３とこの柱状部３を中心とする平面視放射方向にして下方に突設して当該柱状部３を立設状態に支承する複数の脚部４とを有する構成であり、前記スタンド配設位置指標部８は、前記脚部４が前記敷体９に接地した状態において前記柱状部３の軸心線Ｌが垂直線上に位置するよう位置合わせの目印となる指標点８Ａを前記敷体９に設けた構成であり、前記指標点８Ａを、前記椅子配設位置指標部７をもとに配設した前記椅子６を左右に二等分する垂直面Ｐが通過する前記敷体９の所定位置に設けたことを特徴とする請求項１記載のインタビュー撮影用具に係るものである。
【０００９】
また、前記指標点８Ａを中心として放射方向に実線，破線，鎖線，波線などの線状部８Ｂを前記敷体９に複数設けて前記スタンド配設位置指標部８を構成したことを特徴とする請求項２記載のインタビュー撮影用具に係るものである。
【００１０】
また、前記スタンド５は、前記撮影機器固定部２の高さ位置を調整自在に構成されていることを特徴とする請求項１〜３のいずれか１項に記載のインタビュー撮影用具に係るものである。
【００１１】
また、前記スタンド５の所定位置にして前記撮影機器固定部２の下方位置に書見台部11を設けたことを特徴とする請求項１〜４のいずれか１項に記載のインタビュー撮影用具に係るものである。
【考案の効果】
【００１２】
本考案は上述のように構成したから、例えばインタビュー撮影に使用する撮影機材の取り扱いに精通していない者であっても、この撮影機材を適正な位置に、しかも手際よく配置することができ、インタビュー撮影が簡易且つ良好に行えることになるなど、極めて商品価値の高い実用的なインタビュー撮影用具となる。
【００１３】
また、請求項２記載の考案においては、確実に適正な位置にスタンドを配設することができるなど、極めて商品価値の高い実用的なインタビュー撮影用具となる。
【００１４】
また、請求項３記載の考案においては、より簡易且つ確実に適正な位置にスタンドを配設することができるなど、極めて商品価値の高い実用的なインタビュー撮影用具となる。
【００１５】
また、請求項４記載の考案においては、常に最適な状態でインタビュー撮影が行えるなど、極めて商品価値の高い実用的なインタビュー撮影用具となる。
【００１６】
また、請求項５記載の考案においては、例えばインタビューされる人が見るセリフが記載された書面を最適な位置に配設することができるなど、極めて商品価値の高い実用的なインタビュー撮影用具となる。
【図面の簡単な説明】
【００１７】
【図１】本実施例を説明する斜視図である。
【図２】本実施例を説明する平面図である。
【図３】本実施例を説明する側面図である。
【考案を実施するための形態】
【００１８】
好適と考える本考案の実施形態（考案をどのように実施するか）を、図面に基づいて本考案の作用を示して簡単に説明する。
【００１９】
例えばインタビュー撮影を行うに際し、インタビュー撮影を行う場所に敷体９を敷き、この敷体９に、スタンド配設位置指標部８に基づきスタンド５を配設するとともに、椅子配設位置指標部７に基づき椅子６を配設する。
【００２０】
この椅子配設位置指標部７に基づき椅子６を敷体９に配設すると、この椅子６はスタンド５に対する最適な位置に配設され、しかも、椅子６の下端部６ａは、位置決め凹部10に位置決め嵌合するか、若しくは、位置決めロック手段に位置決めロックすることになり、よって、椅子６は不意に動いたりせず敷体９に対して位置決めされた状態（スタンド５と椅子６が一定に保持された状態）となる。この状態でインタビューされる人は、スタンド５の撮影機器固定部２に固定される撮影機器１に対して最適な位置で座ることができ、インタビュー撮影は良好に行われる。
【００２１】
また、例えばインタビューされる人の背丈に応じて、撮影機器１との距離を変えたい場合が生じるが、この点、本考案は、位置決め凹部10若しくは位置決めロック手段を、スタンド配設位置指標部８から同一方向位置にして距離の異なる複数の位置に並設している為、例えばインタビューされる人の背丈に応じてスタンド５に対する距離を可変すべく椅子６を動かす場面が生じたとしても、椅子６をスタンド５に対して前後移動させ、常にスタンド５に対する最適な対向位置で位置決め配設することができる。
【００２２】
従って、例えばインタビュー撮影に使用する撮影機材の取り扱いに精通していない者であっても、この撮影機材を適正な位置に、しかも手際よく配置することができ、インタビュー撮影が簡易且つ良好に行えることになる。
【実施例】
【００２３】
本考案の具体的な実施例について図面に基づいて説明する。
【００２４】
本実施例は、動画撮影カメラや静止画撮影カメラなどの撮影機器１を固定する撮影機器固定部２を有するスタンド５と、このスタンド５の配設位置を指標するスタンド配設位置指標部８及びこのスタンド配設位置指標部８の対向位置にインタビューされる人が座る椅子６の配設位置を指標する椅子配設位置指標部７を設けた敷体９とから成るインタビュー撮影用具である。
【００２５】
以下、本実施例に係る構成各部について詳細な説明をする。
【００２６】
スタンド５は、図１に図示したように撮影機器固定部２を有する柱状部３とこの柱状部３を中心とする平面視放射方向にして下方に突設して当該柱状部３を立設状態に支承する複数（三本）の脚部４とを有する所謂三脚構造である。
【００２７】
柱状部３は、図１に図示したように適宜な金属製のパイプ状部材で構成されており、第一部材３Ａと、この第一部材３Ａの上端部に伸縮自在に嵌合連結される第二部材３Ｂとで構成され、第一部材３Ａの上端部には、該第一部材３Ａに対して第二部材３Ｂを伸縮させた適宜な長さ位置で固定するネジ止め固定手段12が設けられている。尚、本実施例では、第一部材３Ａを第二部材３Ｂに被嵌させた伸縮構造としているが、第二部材３Ｂを第一部材３Ａに被嵌させた伸縮構造としても良い。
【００２８】
また、柱状部３（第一部材３Ａ）の上端部には、撮影機器１をネジ止め固定し得るネジ止め構造（図示省略）を有する撮影機器固定部２が設けられている。
【００２９】
また、柱状部３（第一部材３Ａ）には書見台部11が設けられている。
【００３０】
この書見台部11は、図１に図示したように適宜な金属製の板材で構成されており、第一部材３Ａに対して上下方向にスライド自在に連結する取付部材13を介して取り付けられている。
【００３１】
従って、書見台部11は撮影機器固定部２の下方位置で上下方向に移動自在に配されることになり、椅子６に座ったインタビューされる人から見え易い位置を確保しつつ撮影時の映り込みが可及的に防止される（図３参照）。尚、書見台部11は合成樹脂製でも木製でも良い。
【００３２】
また、柱状部３（第二部材３Ｂ）には、下方寄りの上下位置に後述する脚部４を連結するリング部材14Ａ，14Ｂが設けられており、上のリング部材14Ａは柱状部３に固定され、下のリング部材14Ｂは第二部材３Ｂに対して上下方向にスライド自在に被嵌されている。
【００３３】
この上のリング部材14Ａには脚部４の上部が枢着され、下のリング部材14Ｂには各脚部５から擺動自在に突設される金属製の架設棒材15が枢着されており、下のリング部材14Ｂを上方から下方へスライドさせることで各脚部４を柱状部３に対して束ね状態から展開状態に可変し得るように構成されている。
【００３４】
脚部４は、図１に図示したように適宜な金属製の棒状体で構成されており、前述した柱状部３の第二部材３Ｂに三本の脚部４を連結して三脚構造として構成されている。
【００３５】
具体的には、各脚部４の上端部は上のリング部材14Ａに枢着され、各脚部４の中央位置に擺動自在に枢着された架設部材15の先端が下のリング部材14Ｂに枢着され、柱状部３（第二部材３Ｂ）の下方部分に結束自在に設けられている。
【００３６】
尚、脚部４の数は適宜変更し得るものであり、後述する敷体９に設けられるスタンド配設位置指標部８との関係から決められるものである。
【００３７】
敷体９は、図１に図示したように適宜な合成樹脂製の部材（ゴム部材）で形成した平面視長方形の面状体であり、折り畳んだりロール状に巻いたりして広げた状態からコンパクトな状態とすることができる。尚、敷体９は合成樹脂製に限らず、例えば木製でも金属製も良い。
【００３８】
また、敷体９には、該敷体９の一端部側にスタンド５の配設位置を指標するスタンド配設位置指標部８と、敷体９の他端部側にしてスタンド配設位置指標部８の対向位置にインタビューされる人が座る椅子６の配設位置を指標する椅子配設位置指標部７が設けられている。
【００３９】
椅子配設位置指標部７は、図１に図示したように椅子６（パイプ椅子）の下端部６ａ（前後のコ字状脚部材）を位置決め嵌合する位置決め凹部10で構成されており、本実施例では位置決め凹部10として敷体９の上下に貫通し該敷体９の巾方向（左右方向）に長さを有する長穴状の位置決め凹部10が採用されている。尚、位置決め凹部10は有底のものでも良いし、その形状も長穴状に限らず、椅子６の下端部６ａに合わせた形状（例えば円形状）でも良い。また、椅子配設位置指標部７としては、椅子６の下端部６ａを係止部材などを用いて移動不能に位置決めロックする位置決めロック手段でも良いし、椅子６の種類も適宜変更し得るものであり、この椅子６の下端部６ａの形状に合わせて椅子配設位置指標部７（位置決め凹部10及び位置決めロック手段）の形状を適宜変更し得るものである。また、図１に図示したように椅子６として脚を複数具備した椅子６を採用した場合、この脚の少なくとも一部が位置決めされるように配設すれば良い。
【００４０】
また、椅子配設位置指標部７は、位置決め凹部10若しくは位置決めロック手段を、スタンド配設位置指標部８から同一方向位置にして距離の異なる複数の前後位置に並設している。
【００４１】
従って、スタンド５に対する距離の異なる複数位置（前後方向の複数位置）で椅子６を位置決め配設することができる。
【００４２】
スタンド配設位置指標部８は、図１に図示したように脚部４が敷体９に接地した状態において柱状部３の軸心線Ｌが垂直線上に位置するよう位置合わせの目印となる指標点８Ａを敷体９の表面に印刷して設けている。尚、この指標点８Ａは有底凹部や貫通凹部を設けて構成しても良い。
【００４３】
また、この指標点８Ａは、図２に図示したように椅子配設位置指標部７をもとに配設した椅子６を左右（左右方向）に二等分する垂直面Ｐが通過する敷体９の所定位置に設けられている。
【００４４】
従って、敷体９に、椅子配設位置指標部７に基づき椅子６を配設するとともに、スタンド配設位置指標部８に基づきスタンド５を配設した際、椅子６の中心と、スタンド５の撮影機器固定部２に固定した撮影機器１（レンズ）との中心とが合致若しくは略合致することになるから、確実に適正な位置にスタンド５を配設することができてインタビュー映像を良好に撮影することができることになる。
【００４５】
また、本実施例では、指標点８Ａを中心として放射方向にして等間隔に実線から成る複数（三本）の線状部８Ｂを敷体９に設けてスタンド配設位置指標部８を構成している。
【００４６】
従って、この線状部８Ｂにスタンド５の脚部４を開脚した状態で合わせて接地させることで、柱状部３の軸心線Ｌが指標点８Ａの垂直線上に位置することになる。
【００４７】
尚、線状部８Ｂとしては破線，鎖線，波線などでも良く、印刷に限らず、例えば有底凹部若しくは貫通凹部を設けて構成しても良い。
【００４８】
本実施例は上述のように構成したから、例えばインタビュー撮影を行うに際し、インタビュー撮影を行う場所に敷体９を敷き、この敷体９に、スタンド配設位置指標部８に基づきスタンド５を配設するとともに、椅子配設位置指標部７に基づき椅子６を配設する。
【００４９】
この椅子配設位置指標部７に基づき椅子６を敷体９に配設すると、この椅子６はスタンド５に対する最適な位置に配設され、しかも、椅子６の下端部６ａは、位置決め凹部10に位置決め嵌合するか、若しくは、位置決めロック手段に位置決めロックすることになり、よって、椅子６は不意に動いたりせず敷体９に対して位置決めされた状態（スタンド５と椅子６が一定に保持された状態）となる。この状態でインタビューされる人は、スタンド５の撮影機器固定部２に固定される撮影機器１に対して最適な位置で座ることができ、インタビュー撮影は良好に行われる。
【００５０】
また、例えばインタビューされる人の背丈に応じて、撮影機器１との距離を変えたい場合が生じるが、この点、本考案は、位置決め凹部10若しくは位置決めロック手段を、スタンド配設位置指標部８から同一方向位置にして距離の異なる複数の位置に並設している為、例えばインタビューされる人の背丈に応じてスタンド５に対する距離を可変すべく椅子６を動かす場面が生じたとしても、椅子６をスタンド５に対して前後移動させ、常にスタンド５に対する最適な対向位置で位置決め配設することができる。
【００５１】
よって、本実施例によれば、例えばインタビュー撮影に使用する撮影機材の取り扱いに精通していない者であっても、この撮影機材を適正な位置に、しかも手際よく配置することができ、インタビュー撮影が簡易且つ良好に行えることになる。
【００５２】
また、本実施例は、スタンド５は、撮影機器固定部２を有する柱状部３とこの柱状部３を中心とする平面視放射方向にして下方に突設して当該柱状部３を立設状態に支承する複数の脚部４とを有する構成であり、スタンド配設位置指標部８は、脚部４が敷体９に接地した状態において柱状部３の軸心線Ｌが垂直線上に位置するよう位置合わせの目印となる指標点８Ａを敷体９に設けた構成であり、指標点８Ａを、椅子配設位置指標部７をもとに配設した椅子６を左右に二等分する垂直面Ｐが通過する敷体９の所定位置に設けたから、敷体９に、椅子配設位置指標部７に基づき椅子６を配設するとともに、スタンド配設位置指標部８に基づきスタンド５を配設した際、椅子６の中心と、スタンド５の撮影機器固定部２に固定した撮影機器１（レンズ）との中心とが合致若しくは略合致することになるから、確実に適正な位置にスタンド５を配設することができてインタビュー映像を良好に撮影することができることになる。
【００５３】
また、本実施例は、指標点８Ａを中心として放射方向に実線，破線，鎖線，波線などの線状部８Ｂを敷体９に複数設けてスタンド配設位置指標部８を構成したから、より簡易且つ確実に適正な位置にスタンドを配設することができる。
【００５４】
また、本実施例は、スタンド５は、撮影機器固定部２の高さ位置を調整自在に構成されているから、常に最適な状態でインタビュー撮影が行える。
【００５５】
また、本実施例は、スタンド５の所定位置にして撮影機器固定部２の下方位置に書見台部11を設けたから、例えばインタビューされる人が見るセリフが記載された書面を最適な位置に配設することができる。
【００５６】
尚、本考案は、本実施例に限られるものではなく、各構成要件の具体的構成は適宜設計し得るものである。
【符号の説明】
【００５７】
Ｌ  軸心線
Ｐ  垂直面
１  撮影機器
２  撮影機器固定部
３  柱状部
４  脚部
５  スタンド
６  椅子
６ａ  下端部
７  椅子配設位置指標部
８  スタンド配設位置指標部
８Ａ  指標点
８Ｂ  線状部
９  敷体
10  位置決め凹部
11  書見台部
【図１】
0003191242.tif 000003
【図２】
0003191242.tif 000004
【図３】
0003191242.tif 000005